(57)【要約】【課題】扉体の開閉操作時における負担を軽減することが可能なバランスドア及びバランスドア用移動補助装置を提供する。【解決手段】バランスドア１０は、開口部１４を有する枠体１１と、回動軸１６Ａを中心にして枠体１１に揺動可能に連結される第１扉本体１６と回動軸１７Ａを中心にして第１扉本体１６に揺動可能に連結される第２扉本体１７とを有して開口部１４を閉塞可能な扉体１５と、横枠１３に向かって突出するストライカ２０と、ストライカ２０を横枠１３に沿って案内する案内部３０と、を備える。案内部３０は、扉体１５の閉動時にストライカ２０を捕捉し、その捕捉したストライカ２０を閉位置まで誘導する閉動補助機構５０Ｂと、扉体１５の開動時にストライカ２０を捕捉して、その捕捉したストライカ２０を開位置まで誘導する開動補助機構５０Ａと、を備える。【選択図】図１
2014092006.tif 000002
【特許請求の範囲】
【請求項１】
縦枠と横枠とで囲まれる開口部を有する枠体と、
前記枠体に対して揺動可能に連結される第１揺動部と前記第１揺動部に対して揺動可能に連結される第２揺動部とを有して前記開口部を閉塞可能な扉体と、
前記第２揺動部に固定されて前記横枠に向かって突出するストライカと、
前記横枠に配設されて前記ストライカを前記横枠に沿って案内する案内部と、を備え、
前記案内部が、
前記扉体の閉動時に前記ストライカを捕捉し、前記捕捉したストライカを閉位置に誘導する閉動補助機構と、
前記扉体の開動時に前記ストライカを捕捉し、前記捕捉したストライカを開位置に誘導する開動補助機構と、を備える
ことを特徴とするバランスドア。
【請求項２】
前記第１揺動部が前記開口部の一部を閉塞可能な第１扉本体を含み、
前記第２揺動部が前記開口部の残りを閉塞可能な第２扉本体を含む
請求項１に記載のバランスドア。
【請求項３】
前記第１揺動部が前記枠体に対して揺動可能に連結される支持アームを含み、
前記第２揺動部が前記支持アームに対して揺動可能に連結されて前記開口部を閉塞可能な扉本体を含む
請求項１に記載のバランスドア。
【請求項４】
前記横枠が前記ストライカの挿入される溝部を有し、
前記案内部が前記溝部に収容されている
請求項２または３に記載のバランスドア。
【請求項５】
縦枠と横枠とで囲まれる開口部を有する枠体と、前記枠体に対して揺動可能に連結される第１揺動部と前記第１揺動部に対して揺動可能に連結される第２揺動部とを有して前記開口部を閉塞可能な扉体と、を備えたバランスドアに適用され、前記扉体の移動を補助するバランスドア用移動補助装置であって、
前記第２揺動部に固定されて前記横枠に向かって突出するストライカと、
前記横枠に配設されて前記ストライカを前記横枠に沿って案内する案内部と、を備え、
前記案内部が、
前記扉体の閉動時に前記ストライカを捕捉し、前記捕捉したストライカを閉位置に誘導する閉動補助機構と、
前記扉体の開動時に前記ストライカを捕捉し、前記捕捉したストライカを開位置に誘導する開動補助機構と、を備える
ことを特徴とするバランスドア用移動補助装置。
【請求項６】
前記閉動補助機構と前記開動補助機構とを収容するケーシングを備え、
前記ケーシングに、前記閉動補助機構と前記開動補助機構との間で前記ストライカを案内する案内溝が形成されている
請求項５に記載のバランスドア用移動補助装置。
【発明の詳細な説明】
【技術分野】
【０００１】
本開示の技術は、バランスドア及びバランスドア用移動補助装置に関する。
【背景技術】
【０００２】
従来から、引き戸と開き戸との長所を組み合わせたバランスドアが知られている。例えば特許文献１に記載のバランスドアでは、縦枠と横枠とで囲まれる開口部を備えた枠体と、開口部を閉塞可能な扉体とを備えている。扉体は、縦枠に対して揺動可能に連結される支持アームと、支持アームの先端部に揺動可能に連結されて上記開口部を閉塞可能な扉本体とを備えている。また、扉本体には横枠に向かって突出した被ガイド部材が設けられ、横枠には上記被ガイド部材を横枠に沿って案内するガイド部材が設けられている。
【０００３】
そして、扉体の開動時には、被ガイド部材が横枠に沿って案内されながら、扉本体が支持アームに対して回動し、支持アームが扉本体の回動方向とは反対方向に回動する。そのため、枠体の開口部を貫通するように扉体が枠体の前後方向に振り分けられることで開き戸に比べて扉体を開動させるためのスペースが少なく済むとともに、引き戸のように扉本体を収容する戸袋も必要ない。
【先行技術文献】
【特許文献】
【０００４】
【特許文献１】実公平２−３６８７０号公報
【発明の概要】
【発明が解決しようとする課題】
【０００５】
ところで、上述したバランスドアであっても、車椅子使用者にとっては、開閉操作時に扉体と車椅子との干渉を回避する必要があるため、開閉操作に大変な労力を要する。そのため、車椅子使用者であっても、扉体の開閉操作時における負担が軽減されるバランスドアが望まれている。
【０００６】
本開示の技術は、扉体の開閉操作時における負担を軽減することが可能なバランスドア及びバランスドア用移動補助装置を提供することを目的とする。
【課題を解決するための手段】
【０００７】
上記課題を解決するバランスドアは、縦枠と横枠とで囲まれる開口部を有する枠体と、前記縦枠の延出方向に沿う回動軸を中心にして前記枠体に揺動可能に連結される第１揺動部と前記延出方向に沿う回動軸を中心にして前記第１揺動部に揺動可能に連結される第２揺動部とを有して前記開口部を閉塞可能な扉体と、前記第２揺動部に固定され、前記横枠に向かって突出するストライカと、前記横枠に配設されて前記ストライカを前記横枠に沿って案内する案内部と、を備え、前記案内部が、前記扉体の閉動時に前記ストライカを捕捉し、前記捕捉したストライカを閉位置に誘導する閉動補助機構と、前記扉体の開動時に前記ストライカを捕捉して、前記捕捉したストライカを開位置に誘導する開動補助機構と、を備える。
【０００８】
また、上記課題を解決するバランスドア用移動補助装置は、縦枠と横枠とで囲まれる開口部を有する枠体と、前記縦枠の延出方向に沿う回動軸を中心にして前記枠体に揺動可能に連結される第１揺動部と前記延出方向に沿う回動軸を中心にして前記第１揺動部に揺動可能に連結される第２揺動部とを有して前記開口部を閉塞可能な扉体と、を備えたバランスドアに適用され、前記扉体の移動を補助するバランスドア用移動補助装置であって、前記第２揺動部に固定されて前記横枠に向かって突出するストライカと、前記横枠に配設されて前記ストライカを前記横枠に沿って案内する案内部と、を備え、前記案内部が、前記扉体の閉動時に前記ストライカを捕捉し、前記捕捉したストライカを閉位置に誘導する閉動補助機構と、前記扉体の開動時に前記ストライカを捕捉し、前記捕捉したストライカを開位置に誘導する開動補助機構と、を備える。
【０００９】
この構成によれば、扉体の閉動時には、案内部に案内されるストライカが閉動補助機構によって捕捉されて当該ストライカが閉位置へ自動的に誘導される。また、扉体の開動時には、案内部に案内されるストライカが開動補助機構によって捕捉されて当該ストライカが開位置へ自動的に誘導される。すなわち、扉体の開閉時には、各補助機構によってストライカが捕捉される位置まで扉体を回動するだけで済む。その結果、扉体の開閉動作時における操作者への負担が軽減される。
【００１０】
上記構成のバランスドアについて、前記第１揺動部が前記開口部の一部を閉塞可能な第１扉本体を含み、前記第２揺動部が前記開口部の残りを閉塞可能な第２扉本体を含む。
この構成によれば、枠体の開口部が第１扉本体と第２扉本体とで閉塞される。そして、開状態にある扉体は、第１扉本体と第２扉本体とが重畳するように折れ曲がった状態となる。その結果、第２揺動部のみで枠体の開口部が閉塞される場合に比べて、バランスドアの開動に扉体を逃がすためのスペースが小さくなる。その結果、バランスドアの設置場所に関する自由度が高められる。
【００１１】
上記構成のバランスドアについて、前記第１揺動部が前記枠体に対して揺動可能に連結される支持アームを含み、前記第２揺動部が前記支持アームに対して揺動可能に連結されて前記開口部を閉塞可能な扉本体を含んでいてもよい。
【００１２】
こうした構成のバランスドアに対しても、閉動補助機構と開動補助機構とを備える案内部を適用することが可能である。
上記構成のバランスドアについて、前記横枠が、前記ストライカの挿入される溝部を有し、前記案内部が、前記溝部に収容されている。
【００１３】
この構成によれば、案内部が横枠から露出している場合に比べて、バランスドアの美観が向上する。
上記構成のバランスドア用移動補助装置について、前記案内部は、前記閉動補助機構と前記開動補助機構とを収容するケーシングを備え、前記ケーシングには、前記閉動補助機構と前記開動補助機構との間で前記ストライカを案内する案内溝が形成されていることが好ましい。
【００１４】
この構成によれば、ケーシングは、閉動補助機構と前記開動補助機構とを収容しているとともに、ストライカを案内する案内溝を備えている。そのため、閉動補助機構を収容するケーシング、開動補助機構を収容するケーシング、これら閉動補助機構と開動補助機構との間でストライカを案内する案内溝を備えるケーシング、これらのケーシングが各別である場合に比べて、移動補助装置の取り付け作業が容易となる。
【図面の簡単な説明】
【００１５】
【図１】本開示の技術におけるバランスドアの正面構造を示す正面図であって、枠体の開口部が扉体によって閉塞されているときの正面構造を示す正面図。
【図２】開動時における扉体を上面から見た上面図。
【図３】ストライカの斜視構造を示す斜視図。
【図４】バランスドア用移動補助装置の概略構成を示す概略構成図。
【図５】図４の５−５線における断面構造を示す断面図。
【図６】ストライカ捕捉前の開動補助機構におけるキャッチャー部付近の断面構造を示す断面図。
【図７】キャッチャー部の分解斜視図。
【図８】ストライカ捕捉前の開動補助機構におけるキャッチャー部付近の平面構造を示す平面図。
【図９】ストライカ捕捉後の開動補助機構におけるキャッチャー部付近の断面構造を示す断面図。
【図１０】ストライカ捕捉後の開動補助機構におけるキャッチャー部付近の平面構造を示す平面図。
【図１１】変形例におけるバランスドアの正面構造を示す正面図であって、枠体の開口部が扉体によって閉塞されているときの正面構造を示す正面図。
【発明を実施するための形態】
【００１６】
図１〜図１０を参照して、本開示におけるバランスドアの一実施形態について説明する。
図１に示されるように、壁９に設置されるバランスドア１０は、開口部１４を有する枠体１１と、枠体１１の開口部１４を閉塞可能な扉体１５とを備えている。枠体１１は、鉛直方向に延びる一対の縦枠１２Ｌ，１２Ｒと、水平方向に延びて一対の縦枠１２Ｌ，１２Ｒの上端部を繋ぐ横枠１３とを有しており、これら縦枠１２Ｌ，１２Ｒと横枠１３によって開口部１４が形成されている。
【００１７】
扉体１５は、縦枠１２Ｒ側に配置されて開口部１４の一部を閉塞可能な第１扉本体１６と、縦枠１２Ｌ側に配置されて開口部１４の残りを閉塞可能な第２扉本体１７とを備えている。第１揺動部である第１扉本体１６は、鉛直方向に延びて縦枠１２Ｒ寄りに配置される回動軸１６Ａを中心にして揺動可能に枠体１１に連結されている。第１扉本体１６の先端部には、鉛直方向に延びる回動軸１８Ａを回動中心として回動可能なヒンジ機構１８が配設されている。第２揺動部である第２扉本体１７は、このヒンジ機構１８を介して、鉛直方向に延びる回動軸１７Ａを中心として揺動可能に第１扉本体１６に連結されている。第２扉本体１７の正面壁１７Ｆには開閉操作の際に操作される操作部１９Ｆが形成され、図示されない背面壁１７Ｂにも開閉操作の際に操作される操作部１９Ｂが形成されている。また、第２扉本体１７の上端面１７ａには横枠１３に向かって突出するストライカ２０が固定されている。
【００１８】
一方、横枠１３には、ストライカ２０が挿入される溝部２１が形成されている。溝部２１には、扉体１５の開閉時にストライカ２０を横枠１３に沿って案内するとともにストライカ２０を誘導する開動補助機構５０Ａ及び閉動補助機構５０Ｂを備えた案内部３０が収容されている。バランスドア用移動補助装置は、これらストライカ２０と案内部３０とで構成される。
【００１９】
図２に示されるように、上述したバランスドア１０では、正面壁１７Ｆに設置された操作部１９Ｆが手前側に操作されると、ストライカ２０は、案内部３０によって開動方向ＯＰに案内されながら開動する。この際、第２扉本体１７が回動軸１７Ａを回動中心として時計回り方向に回動し、第１扉本体１６が回動軸１６Ａを回動中心として反時計回り方向に回動する。
【００２０】
また、上述したバランスドア１０では、背面壁１７Ｂに設置された操作部１９Ｂが手前側に操作されると、ストライカ２０は、案内部３０によって開動方向ＯＰに案内されながら開動する。この際、第２扉本体１７が回動軸１７Ａを回動中心として反時計回り方向に回動し、第１扉本体１６が回動軸１６Ａを回動中心として時計回り方向に回動する。
【００２１】
一方、開状態にあるバランスドア１０が閉動されると、第１及び第２扉本体１６，１７は、案内部３０によってストライカ２０が閉動方向ＣＬに案内されながら、各々の回動軸１６Ａ，１７Ａを回動中心として開動時とは逆方向に回動する。
【００２２】
図３を参照して、バランスドア用移動補助装置を構成するストライカ２０について説明する。
図３に示されるように、ストライカ２０は、第２扉本体１７の上端面１７ａに固定される板状のストライカベース２２に突設されている。ストライカベース２２には、ストライカ２０を挟むように、ストライカ２０を第２扉本体１７に固定する際の基準となる円状孔２３と、円弧状をなす円弧状孔２４とが形成されている。ストライカ２０は、これら円状孔２３と円弧状孔２４とを通じて第２扉本体１７にねじ込まれるねじ２５によって第２扉本体１７に対して固定される。
【００２３】
図４〜図１０を参照して、バランスドア用移動補助装置を構成する案内部３０について説明する。
図４に示されるように、案内部３０は、横枠１３の溝部２１に収容されている。案内部３０のケーシング３１は、横枠１３に沿って延びており、その両端部には案内部３０を横枠１３に固定するための図示されないねじが貫挿されるねじ孔３２が形成されている。案内部３０は、上記ねじ孔３２を通じてねじが横枠１３にねじ込まれることによって横枠１３に固定される。ケーシング３１には、互いに対向する一対の側壁３３，３４によって、ストライカ２０の挿入される案内溝３５が形成されており、この案内溝３５に沿ってストライカ２０が案内される。そして、ケーシング３１における縦枠１２Ｒ側には開動補助機構５０Ａが収容され、縦枠１２Ｌ側には閉動補助機構５０Ｂが収容されている。そして、ケーシング３１の側壁３３，３４には、案内溝３５の幅を局所的に狭めることで、各補助機構５０Ａ，５０Ｂに進入するストライカ２０を案内するストライカガイド３６，３７が形成されている。
【００２４】
次に開動補助機構５０Ａについて説明するが、開動補助機構５０Ａと閉動補助機構５０Ｂは、同じ構成の機構が対称となるように配設されたものである。そのため、ここでは開動補助機構５０Ａについて説明し、閉動補助機構５０Ｂについては開動補助機構５０Ａと同様の符号を付すことによりその詳細な説明を省略する。
【００２５】
図５に示されるように、開動補助機構５０Ａは、バランスドア１０の閉動時に閉動補助位置まで案内されたストライカ２０を捕捉するキャッチャー部５１と、キャッチャー部５１を開動方向ＯＰに付勢する引っ張りコイルばね５２と、引っ張りコイルばね５２の付勢力によって移動するキャッチャー部５１を制動するダンパー５３を備えている。
【００２６】
図６及び図７に示されるように、キャッチャー部５１は、引っ張りコイルばね５２によって開動方向ＯＰに付勢されるキャッチャー本体５５と、一対の捕捉アーム６３を回動可能に軸支するスライド部材５７とを備える。またキャッチャー部５１は、キャッチャー本体５５に対してスライド部材５７を閉動方向ＣＬに付勢する圧縮コイルばね５８と、キャッチャー本体５５及びスライド部材５７に対して上下動可能なキャッチャーストッパー５９とを備える。
【００２７】
ここで、ケーシング３１には、長手方向に沿って延びてケーシング３１内の空間を上部室３８Ａと下部室３８Ｂとに仕切る仕切板３９が形成されている。この仕切板３９には、ケーシング３１の長手方向に延びるスロット４０が形成されており、キャッチャー本体５５のフック５５ａがこのスロット４０を通じて上部室３８Ａに配設されている。
【００２８】
この上部室３８Ａには、上述した引っ張りコイルばね５２が収容されており、引っ張りコイルばね５２の一端部が上記フック５５ａに掛止され、他端部がケーシング３１に形成された掛止部４１に掛止されている。この引っ張りコイルばね５２は、キャッチャー部５１の位置に関わらず、常にキャッチャー部５１を開動方向ＯＰに付勢している。
【００２９】
また、ケーシング３１には、仕切板３９の閉動方向ＣＬ側に、該仕切板３９の下部室３８Ｂ側の面に連なる係止凹部４２が形成されている。そして、この係止凹部４２にキャッチャーストッパー５９の一部が収容されることで、ケーシング３１に対してキャッチャー部５１が係止される。そして、ケーシング３１にキャッチャー部５１が係止されているとき、引っ張りコイルばね５２の伸長量が最大となる。なお、引っ張りコイルばね５２の伸長量が最大となる位置をキャッチャー部５１の待機位置という。
【００３０】
一方、下部室３８Ｂには、上述したダンパー５３が収容されている。ダンパー５３は、ケーシング３１に対して固定されたシリンダー５３ａとシリンダー５３ａに対して進退移動可能なロッド５３ｂとを備えており、ロッド５３ｂの先端部がキャッチャー本体５５の連結部５５ｂに連結されている。
【００３１】
キャッチャー本体５５には、前方開口部５５ｃからスライド部材５７が挿入される。スライド部材５７には後方に延びる軸部５７ａが形成されており、この軸部５７ａは、キャッチャー本体５５のばね収容部５５ｄを通じて逃げ路５５ｅに挿入されている。スライド部材５７の軸部５７ａは、キャッチャー本体５５に対してスライド部材５７が移動する際に逃げ路５５ｅ内を摺動する。キャッチャー本体５５のばね収容部５５ｄには、上述した圧縮コイルばね５８が収容されている。圧縮コイルばね５８は、キャッチャー本体５５に対してスライド部材５７を閉動方向ＣＬに付勢している。また、スライド部材５７が挿入されているキャッチャー本体５５には、フック側開口部５５ｆからキャッチャーストッパー５９が挿入される。
【００３２】
キャッチャー本体５５に挿入されたキャッチャーストッパー５９は、スライド部材５７の一対の側壁５７ｂに挟まれる位置に配置される。キャッチャーストッパー５９は、ピン６０によってスライド部材５７及びキャッチャー本体５５に連結されている。ピン６０は、キャッチャー本体５５の側壁５５ｇの各々に形成された上下ガイド孔５５ｈと、スライド部材５７の側壁５７ｂの各々に形成された係脱ガイド孔５７ｃと、キャッチャーストッパー５９に形成された挿通孔５９ａとに挿入されている。係脱ガイド孔５７ｃは、キャッチャー本体５５に対するスライド部材５７の開動方向ＯＰへの移動によりキャッチャーストッパー５９を係止凹部４２から脱出させるように、また、キャッチャー本体５５に対するスライド部材５７の閉動方向ＣＬへの移動によりキャッチャーストッパー５９を係止凹部４２へと押し込むように湾曲している。すなわち、キャッチャーストッパー５９は、スライド部材５７が圧縮コイルばね５８によってキャッチャー本体５５に対して閉動方向ＣＬに付勢されていることから、係止凹部４２に押し込まれるように常に付勢されている。
【００３３】
また、キャッチャーストッパー５９には、係止凹部４２の底面側に、ピン６１を回動中心として回動可能なローラー６２が取り付けられている。このローラー６２は、外周面の一部がキャッチャーストッパー５９よりも係止凹部４２の底面側に張り出している。
【００３４】
図７及び図８に示されるように、スライド部材５７には、一対の捕捉アーム６３が回動可能に支持されている。一対の捕捉アーム６３の各々は、互いの先端部が近づくように湾曲しており、スライド部材５７の前壁に形成された一対の軸支部５７ｄにピン６４によって回動可能に支持される。一対の捕捉アーム６３の各々には、内側に向かって張り出す内側張出部６３ａと、外側に向かって張り出す外側張出部６３ｂとを有している。
【００３５】
一対の捕捉アーム６３は、キャッチャー部５１が待機位置に配置されているとき、外側張出部６３ｂがケーシング３１の側壁３３，３４に形成された切り欠き部４３，４４に収容される。これにより、一対の捕捉アーム６３の間をストライカ２０が通過可能となる。そして、ストライカ２０の押圧によりスライド部材５７が開動方向ＯＰに移動すると、一対の捕捉アーム６３は、各々の外側張出部６３ｂが側壁３３，３４の切り欠き部４３，４４に案内されてピン６４を回動軸として内側張出部６３ａを互いに近づけるように回動する。こうした捕捉アーム６３の回動によって、キャッチャー部５１は、ストライカ２０を捕捉する。
【００３６】
一方、一対の捕捉アーム６３には、スライド部材５７の軸支部５７ｄの反対側に向かって延びるカムフォロア６３ｃが形成されている。このカムフォロア６３ｃは、閉動方向ＣＬに移動するキャッチャー部５１が待機位置に配置される際に、ケーシング３１に形成されたカム部４５に案内される。これにより、一対の捕捉アーム６３は、ピン６４を回動軸として互いに離れるように回動することでストライカ２０を解放する。
【００３７】
図９及び図１０を参照して、上述した構成の開動補助機構５０Ａの動作について説明する。なお、開動補助機構５０Ａは、キャッチャー部５１が待機位置に配置された状態にある。
【００３８】
図９及び図１０に示されるように、上述した構成の開動補助機構５０Ａでは、扉体１５の開動操作がなされてストライカ２０が開動補助位置に到達すると、キャッチャー部５１のスライド部材５７がストライカ２０によって開動方向ＯＰに押圧される。ストライカ２０で押圧されたスライド部材５７は、圧縮コイルばね５８の付勢力に抗してキャッチャー本体５５に対して開動方向ＯＰに移動する。
【００３９】
こうしたスライド部材５７の開動方向ＯＰへの移動によって、一対の捕捉アーム６３は、各々の外側張出部６３ｂが側壁３３，３４の切り欠き部４３，４４に案内されてピン６４を街道軸として内側張出部６３ａを互いに近づけるように回動する。こうした捕捉アーム６３の回動によって、キャッチャー部５１は、ストライカ２０を捕捉する。
【００４０】
また、同じくスライド部材５７の開動方向ＯＰへの移動によって、ピン６０がスライド部材５７の係脱ガイド孔５７ｃに案内される。そして、キャッチャーストッパー５９は、ピン６０がキャッチャー本体５５の上下ガイド孔５５ｈに案内されることで、キャッチャー本体５５に対して係止凹部４２から脱出する方向に移動し、やがて係止凹部４２から脱出する。
【００４１】
そのあと、キャッチャー部５１は、一対の捕捉アーム６３でストライカ２０を捕捉したまま、引っ張りコイルばね５２の付勢力によって、キャッチャーストッパー５９のローラー６２を仕切板３９上を転動させながら開動方向ＯＰへと移動する。そして、キャッチャー部５１は、ストライカ２０を開位置まで誘導すると、ストライカ２０を捕捉したまま、引っ張りコイルばね５２の付勢力によって、ストライカ２０を開位置に保持する。
【００４２】
一方、扉体１５の閉動操作がなされると、ストライカ２０の閉動方向ＣＬへの移動にともなって、キャッチャー部５１も閉動方向ＣＬへ移動する。やがて、キャッチャー部５１が待機位置に近づくと、一対の捕捉アーム６３のカムフォロア６３ｃがカム部４５に案内されることで、一対の捕捉アーム６３がピン６４を回動軸として互いに離れるように回動し始まる。
【００４３】
そして、キャッチャー部５１が待機位置に到達すると、開動補助機構５０Ａは、一対の捕捉アーム６３に捕捉されていたストライカ２０を解放するとともに、キャッチャーストッパー５９の一部が係止凹部４２に収容されることで待機位置に保持される。
【００４４】
なお、扉体１５の閉動操作の際、閉動補助機構５０Ｂは、閉動補助位置にストライカ２０が到達すると、開動補助機構５０Ａと同様、ストライカ２０を捕捉し、その捕捉したストライカ２０を閉動方向ＣＬに誘導するとともに該ストライカ２０を閉位置に保持する。
【００４５】
次に、上述したバランスドア１０の作用について説明する。
上述したバランスドア１０においては、扉体の開動操作により開動補助位置に到達したストライカ２０は、開動補助機構５０Ａによって開位置まで誘導されたのち該開位置にて保持される。すなわち、バランスドア１０では、ストライカ２０が開動補助位置に到達するまで扉体１５を開動操作するだけで、扉体１５の開動が自動的に行われるとともに扉体１５の開状態が維持される。また、扉体１５を閉動する際には、扉体１５を閉動補助位置まで扉体１５を閉動操作するだけで扉体１５の閉動が自動的に行われる。
【００４６】
そのため、扉体１５の開閉操作時における操作者への負担が軽減される。特に、扉体１５の開動操作時には扉体１５が開状態に維持されることから、車椅子使用者に対する負担が軽減される。
【００４７】
また、バランスドア１０では、扉体１５が、開口部１４の一部を閉塞可能な第１扉本体１６と、開口部１４の残りを閉塞可能な第２扉本体１７とで構成されている。そのため、開状態にある扉体１５は、第１扉本体１６と第２扉本体１７とが重畳するように折れ曲がる。これにより、扉体が開口部１４を閉塞可能な１つの扉本体しか備えていない場合に比べて、開動操作時に扉体１５を逃がすためのスペースが少なくて済む。その結果、バランスドア１０の設置場所に関する自由度が高められる。
【００４８】
そのうえ、案内部３０が横枠１３に形成された溝部２１に収容されていることから、案内部３０が外部に露出している場合に比べて、バランスドア１０の美観が向上する。
以上説明したように、上記実施形態のバランスドア１０によれば、以下に列挙する効果を得ることができる。
【００４９】
（１）案内部３０が開動補助機構５０Ａ及び閉動補助機構５０Ｂを具備することから、扉体１５の開閉操作時における操作者への負担が軽減される。特に、開動操作時には扉体１５が開状態に維持されることから、車椅子使用者に対する負担が軽減される。
【００５０】
（２）扉体１５が第１扉本体１６と第２扉本体１７とで構成されることから、バランスドア１０の設置場所に関する自由度が高められる。
（３）案内部３０が横枠１３の溝部２１に収容されていることから、バランスドア１０の美観が向上する。
【００５１】
（４）ケーシング３１には、開動補助機構５０Ａと閉動補助機構５０Ｂが収容されている。また、ケーシング３１には、側壁３３，３４によって、開動補助機構５０Ａと閉動補助機構５０Ｂとの間でストライカ２０を案内する案内溝３５が形成されている。その結果、開動補助機構５０Ａのケーシング、閉動補助機構５０Ｂのケーシング、開動補助機構５０Ａと閉動補助機構５０Ｂとの間でストライカを案内する案内溝が形成されるケーシング、これらが各別である場合に比べて、案内部３０の取り付け作業が容易である。
【００５２】
なお、上記実施形態は、以下のように適宜変更して実施することもできる。
・上記案内部３０は、１つのケーシング３１に開動補助機構５０Ａ及び閉動補助機構５０Ｂが収容され、また、ケーシング３１の側壁３３，３４によって案内溝３５を形成している。これに限らず、移動補助装置は、開動補助機構５０Ａを収容するケーシング、閉動補助機構５０Ｂをケーシング、開動補助機構５０Ａと閉動補助機構５０Ｂとの間でストライカを案内する案内溝が形成されるケーシング、これらが各別であってもよい。
【００５３】
・案内部３０が横枠１３から露出していてもよい。
・図１１に示されるように、扉体は、第１揺動部として一対の支持アーム６６と、第２揺動部として開口部１４を閉塞可能な扉本体６７とで構成される扉体６５であってもよい。一対の支持アーム６６は、回動軸６６Ａを回動中心として回動可能に枠体１１に連結されており、扉本体６７は、回動軸６７Ａを回動中心として回動可能に一対の支持アーム６６に連結されている。
【００５４】
・一対の捕捉アーム６３は、ヒンジ部を介してスライド部材５７に一体的に形成されていてもよい。
・キャッチャー部５１は、スライド部材５７を押圧するストライカ２０を捕捉可能な構成をなしていればよく、一対の捕捉アーム６３に代えて、例えば、側壁３３側に回動軸を有するフック状の部材を備えていてもよい。
【符号の説明】
【００５５】
９…壁、１０…バランスドア、１１…枠体、１２，１２Ｌ，１２Ｒ…縦枠、１３…横枠、１４…開口部、１５…扉体、１６…第１扉本体、１６Ａ…回動軸、１７…第２扉本体、１７Ａ…回動軸、１７ａ…上端面、１７Ｂ…背面壁、１７Ｆ…正面壁、１８…ヒンジ機構、１８Ａ…回動軸、１９Ｂ…操作部、１９Ｆ…操作部、２０…ストライカ、２１…溝部、２２…ストライカベース、２３…円状孔、２４…円弧状孔、２５…ねじ、３０…案内部、３１…ケーシング、３２…ねじ孔、３３，３４…側壁、３５…案内溝、３６，３７…ストライカガイド、３８Ａ…上部室、３８Ｂ…下部室、３９…仕切板、４０…スロット、４１…掛止部、４２…係止凹部、４３…切り欠き部、４４…切り欠き部、４５…カム部、５０Ａ…開動補助機構、５０Ｂ…閉動補助機構、５１…キャッチャー部、５２…引っ張りコイルばね、５３…ダンパー、５３ａ…シリンダー、５３ｂ…ロッド、５５…キャッチャー本体、５５ａ…フック、５５ｂ…連結部、５５ｃ…前方開口部、５５ｄ…ばね収容部、５５ｅ…逃げ路、５５ｆ…フック側開口部、５５ｇ…側壁、５５ｈ…上下ガイド孔、５７…スライド部材、５７ａ…軸部、５７ｂ…側壁、５７ｃ…係脱ガイド孔、５７ｄ…軸支部、５８…圧縮コイルばね、５９…キャッチャーストッパー、５９ａ…挿通孔、６０…ピン、６１…ピン、６２…ローラー、６３…捕捉アーム、６３ａ…内側張出部、６３ｂ…外側張出部、６３ｃ…カムフォロア、６４…ピン、６５…扉体、６６…支持アーム、６６Ａ…回動軸、６７…扉本体、６７Ａ…回動軸。
【図１】
2014092006.tif 000003
【図２】
2014092006.tif 000004
【図３】
2014092006.tif 000005
【図５】
2014092006.tif 000006
【図６】
2014092006.tif 000007
【図７】
2014092006.tif 000008
【図８】
2014092006.tif 000009
【図９】
2014092006.tif 000010
【図１０】
2014092006.tif 000011
【図１１】
2014092006.tif 000012
【図４】
2014092006.tif 000013